(57)【要約】【課題】住宅等の玄関ドア錠に対する不正解錠を防止するため、開閉ドア内にドアキー位置が移動できるドアロック機構とキー隠し部を設け、外部からのドアキー位置を分からなくすることにより、不正解錠による不法侵入の防止を強化する。【解決手段】開閉ドア２に外部から施錠位置が見えないようにするキー隠し部２４を設けると共に、開閉ドア２内面の施錠側の側壁部２２に沿って上下方向に分散して複数の溝部２３を設けて、この溝部２３に挿入して固定されるドアキー４２を備えたドアロック体４を構成し、このドアロック体４を複数の任意の溝部に嵌合することで施錠位置を変更できるようにする。【選択図】図１
2006037481.tif 000002
【特許請求の範囲】
【請求項１】
一端部を軸として回転して開閉するドアを、枢体に対して前記ドアの他端部において施錠するドア施錠装置であって、
ドアの内面、施錠側に上下に分散して複数の溝が設けられると共に、ドアが閉じられたとき、外部から施錠位置が見えないようにするキー隠し部が設けられ、
前記溝内に挿入して固定可能なドアロック体を備え、
このドアロック体は、操作により出没自在なドアキーと自身のロックキーとを有し、
前記枢体には、前記複数の溝に対応して、該溝に挿入された前記ドアロック体のドアキーの先端部が嵌まり込むドアキー孔が設けられ、
前記ドアには、前記ロックキーの先端部が嵌まり込むロックキー孔が設けられており、
前記ドアロック体を任意の前記複数の溝に挿入することで施錠位置を変更することができるようにしたことを特徴とするロック位置移動型のドア施錠装置。
【発明の詳細な説明】
【技術分野】
【０００１】
本発明は、不正に解錠されることを防止することのできる移動可能なドア錠に関するものである。
【背景技術】
【０００２】
住宅等の玄関ドア錠には、一般に把手の中心に埋設したシリンダー錠が汎用されている。そして、このシリンダー錠の解錠は所定のキーにより行われる。しかし、このような家庭用ドア錠は不正に解錠されやすく、例えば、ピッキングツールを使用しての不正解錠や、サムターン回しによる不正解錠により、盗難等の被害を被ることがあった。このような不正解錠による盗難を防止する対策として、施錠装置をピッキングされ難い構造にしたり、サムターン回し防止具を装着したりしているが、いずれも防御強度が不十分であり、構造が複雑でコスト高になる。
【０００３】
また、ドア錠の不正解錠を防止のための装置として、ドア錠の把手に二重のカバーを設けてなるドア錠の二重ロック装置が知られている（例えば、特許文献１参照）。
【特許文献１】特開２００１−１７３２７８号公報
【発明の開示】
【発明が解決しようとする課題】
【０００４】
しかしながら、上述した公報に示されるような従来の構成においては、住宅等の玄関ドア錠に使用されるシリンダー錠を、金属冶具を使って施錠装置を窄孔して、不正解錠するなどの悪質な不正解錠に対しては、依然として防盗的に不十分であるという問題があった。
【０００５】
本発明は、上記問題を解決するものであり、移動式のドアロック体を設けることにより、不正に解錠されることを未然に防止することができる簡単な構成のロック位置移動型のドア施錠装置を提供することを目的とする。
【課題を解決するための手段】
【０００６】
上記目的を達成するために請求項１の発明は、一端部を軸として回転して開閉するドアを、枢体に対して前記ドアの他端部において施錠するドア施錠装置であって、ドアの内面、施錠側に上下に分散して複数の溝が設けられると共に、ドアが閉じられたとき、外部から施錠位置が見えないようにするキー隠し部が設けられ、前記溝内に挿入して固定可能なドアロック体を備え、このドアロック体は、操作により出没自在なドアキーと自身のロックキーとを有し、前記枢体には、前記複数の溝に対応して、該溝に挿入された前記ドアロック体のドアキーの先端部が嵌まり込むドアキー孔が設けられ、前記ドアには、前記ロックキーの先端部が嵌まり込むロックキー孔が設けられており、前記ドアロック体を任意の前記複数の溝に挿入することで施錠位置を変更することができるようにしたものである。
【発明の効果】
【０００７】
請求項１の発明によれば、移動可能なドアロック体のドアキーを、ドア内の任意の位置に、複数個装着でき、かつ、キー隠し部により、施錠位置が室外から見えないので、外部からの侵入者が不正に解錠しようとしても、鍵の存在が分かり難く、万一、鍵を壊して室内に侵入しようとしても、窄孔しようとする複数の鍵位置の発見に手間取り、侵入を防ぐことができ、安全な施錠を得ることができる。
【発明を実施するための最良の形態】
【０００８】
以下、本発明の一実施の形態に係るドア施錠装置について図面を参照して説明する。図１、図２は、本実施の形態に係る施錠装置１の基本キーロック構成を示す。ドア施錠装置１は、ドア施錠装置１を構成する開閉ドア２、ドア枢体３及びロックキー４１a、４１bを備える箱型のドアロック体４で構成され、開閉ドア２は、その内面の施錠側の側壁部２２に沿って、施錠側に上下に分散して複数の溝２３が設けられると共に、開閉ドア２が閉じられたとき、外部から施錠位置が見えないようにするキー隠し部２４が設けられている。そして、ドアロック体４は、溝２３に嵌合するように形成され、ドアロック体４自身のロックキー４１a、４１bの先端部を、溝部２３内の上下面に設けたロックキー孔２１a及び２１ｂに嵌入させて、開閉ドア２に固定する。一方、ドアロック体４は、操作により出没自在なドアキー４２の先端部を、開閉ドア２の側壁部２２の貫通孔２５を通して、ドア枢体３の側壁部３２に設けられたドアキー孔３１に嵌入させ、開閉ドア２とドア枢体３を施錠するように構成されている。
【０００９】
そして、ドアロック体４に設けられたロックキー操作摘み４３及びドアキー操作摘み４４により、ロックキー４１a、４１bとドアキー４２が開閉されることにより、ドア施錠装置１の開閉が行われる。ロックキー４１a、４１bは、ロックキー操作摘み４３で上下に移動されて、ロックキー孔２１a、２１bに嵌入され、開閉ドアの側壁部２２に固定され、ドアキー４２はドアキー操作摘み４４で左右に移動し、開閉ドア２とドア枢体３を施錠する。
【００１０】
図３は、ドア施錠装置１の内面の構成を示し、図４は、図３の点線で囲まれたドア施錠装置１の一部１−１を示している。開閉ドア２の施錠側の側壁部２２に沿って、施錠側に上下に分散して複数の溝部が２３a〜２３fまで設けられると共に、キー隠し部２４が設けられている。この複数の溝部２３a〜２３fは、そのいずれもが図２のドアロック体４と嵌合でき、各ロックキー孔２１（ロックキー孔２１a、２１b、２１c、２１ｄ、２１e、２１f等を指す）により固定される。この固定されたドアロック体４のドアキー４２（図１に示す）と、ドア枢体３の施錠側の側壁部３２のドアキー孔３１（ドアキー孔３１a、３１b、３１c等を指す）により貫通孔２５（貫通孔２５a、２５b、２５c、２５d、２５e、２５ｆ等を指す）を通して、開閉ドア２とドア枢体３が施錠される。従って、ドアロック体４は、複数の溝部２３a〜２３fのいずれにも嵌合できることから、ドアキー４２の位置を任意に変えることができる。なお、ドアキー孔３１a、３１b、３１c等は上下に連続した１本の溝であってもよい。
【００１１】
さらに、ドアロック体４を複数個備えることにより、開閉ドア２の複数位置でドアロックすることが可能となり、より安全な施錠装置が得られる。また、開閉ドア２にキー隠し部２４を設けているので、外部からの侵入者のドアキー位置の発見は極めて困難となる。なお、図３において、開閉ドア２は、場所を移動できない固定のロックキー部５を備え、ドア開閉のための把手５１による開閉錠５２及びロックキー錠５３で構成されて、常設使用のドアキーとしている。
【００１２】
また、ドア施錠装置１が閉錠された際、開閉ドア２の鍵位置がドア施錠装置１の隙間から見えないようにするため、開閉ドア２の外部表面の施錠側端面より、ドア枢体３側に向けての短い棒状突起のキー隠し部２４を設け、開閉ドア２とドア枢体３との隙間を塞いでいる。このようにすることにより、室外から、ドア装置の鍵の位置を見えなくし、不法侵入者からの施錠壊しを防ぐようにしている。
【００１３】
図５は、図４の開閉ドア２内側にドアロック体４を装着した状態を示す。図示の状態では、ドアロック体４は、開閉ドア２内面の一番上に、取り付けられ、ロックキー４１a、４１bをロックキー孔２１a、２１bに嵌入することにより、開閉ドア２に固定されている。そして、ドアキー４２aによりドア枢体３と開閉ドア２を施錠するようにしている。
【００１４】
図６は、開閉ドア２に複数個のドアロック体４を装備した場合を示す。いま、ここでは、ドアロック体４を２個装着している。ドアブロック体４b、４cはそれぞれロックキー４１c、４１d及び４１e、４１fを持ち、それらはロックキー孔２１c、２１d、及び２１i、２１jでロックされ、各ドアキー４２b、４２cは、貫通孔２５b、２５eを通してドア枢体３（図４）にロックされる。このように、ドアロック体を複数個使用し、任意の複数の溝に挿入することで施錠位置を自由に変更することができ、より強固なドアロック作用が得られ、不法侵入者の阻止を強化することができる。
【００１５】
以上述べたように、ドアキーの位置が室外から見えなくしているので、外部からの侵入者に、鍵の存在位置を知られず、さらにドア錠の取り付け位置が変えられるので、鍵の位置を毎日変更する等により、ますます外部からの侵入者には、鍵の存在が分かり難く、万一、鍵を壊して室内に侵入しようとしても、鍵位置の発見に手間取り、時間が掛かるので、住人や、近所の人に気付かれ、通報される等して、侵入を防ぐことができ、防盗性をさらに高めるができる。また、通常は内部からしか解錠できない仕組みとしているので、外部から解錠は極めて困難であり、防盗性をより高めることができる。
【００１６】
なお、本発明は、上記実施形態に限られるものではなく、様々な変形が可能である。例えば、ドアブロック体を複数設けて、ドアキーを複数箇所でばらばらに設定できるので、外部からの侵入者には、さらに鍵位置が発見され難く、又は発見に手間取るので、防盗性をさらに高めることができる。
【００１７】
さらに、ドアキーを電子錠とし、リモートコントロールによりドアキーの開閉を行うことができるようにすれば、便利性が高く、また、外出時に室外よりドアキーをロックすることもできるので、より安全な戸締りが可能となる。
【図面の簡単な説明】
【００１８】
【図１】本発明の一実施形態に係るドア施錠装置の基本構成部分を示す開閉ドア内面から見た斜視図。
【図２】同ドア施錠装置の平面図。
【図３】同ドア施錠装置の内面図。
【図４】同ドア施錠装置の一部の斜視図。
【図５】同ドア施錠装置が適用される開閉ドア内面の部分斜視図。
【図６】同ドア施錠装置が適用される開閉ドア内面の斜視図。
【符号の説明】
【００１９】
１  ドア施錠装置
２  開閉ドア
３  ドア枢体
４  ドアロック体
２１  ロックキー孔
２２  開閉ドア側壁部
２３  溝部
２４  キー隠し部
２５  貫通孔
３１  ドアキー孔
３２  ドア枢体側壁部
４１  ロックキー
４２  ドアキー
【図１】
2006037481.tif 000003
【図２】
2006037481.tif 000004
【図３】
2006037481.tif 000005
【図４】
2006037481.tif 000006
【図５】
2006037481.tif 000007
【図６】
2006037481.tif 000008